(57)【要約】【課題】振動及び衝撃吸収性を向上するとともに１０Ｈｚ以下の振動特性を改善し、カオス解析等を組み込み総合的に安全性、快適性を追及することのできるコンパクトな車両用シートのフレーム構造を提供すること。【解決手段】車体フロアに上下動自在に枠体１０，１２，１４を取り付け、枠体１０，１２，１４の高さを調整するリフターに、枠体１０，１２，１４に入力される振動を吸収するためのサスペンションユニットＳを一体的に組み込んだ。また、サスペンションユニットＳをマグネットユニットあるいは磁性流体ダンパーで構成した。【選択図】　図１
2004074979.tif 000002
【特許請求の範囲】
【請求項１】
車両用シートのフレーム構造であって、
車体フロアに上下動自在に取り付けられる枠体と、該枠体の高さを調整するリフターと、枠体に入力される振動を吸収するためのサスペンションユニットとを備え、該サスペンションユニットを前記リフターに一体的に組み込んだことを特徴とする車両用シートのフレーム構造。
【請求項２】
車体フロアに回動自在に取り付けられるとともに第１のリンク機構を介して前記枠体に連結されたトーションバーと、前記第１のリンク機構に連結された操作手段とをさらに備え、該操作手段を操作することにより前記第１のリンク機構を介して前記枠体の前端部の高さ調整を行うとともに、第２のリンク機構を介して前記枠体の後端部の高さ調整を行うようにした請求項１に記載の車両用シートのフレーム構造。
【請求項３】
前記サスペンションユニットが、固定マグネット及び可動マグネットを有するマグネットユニットを備えた請求項１あるいは２に記載の車両用シートのフレーム構造。
【請求項４】
前記サスペンションユニットが、磁性流体ダンパーを備えた請求項１あるいは２に記載の車両用シートのフレーム構造。
【発明の詳細な説明】
【０００１】
【発明の属する技術分野】
本発明は、車両用シートを取り付けるためのフレーム構造に関し、さらに詳しくは、低周波信号を絶縁することが可能で振動特性に優れたコンパクトな車両用シートのフレーム構造に関する。
【０００２】
【従来の技術】
従来、シートの高さ調節を行うためのリフターと、シートに入力される振動を吸収するためのサスペンションユニットはそれぞれ別々に構成されている。
【０００３】
【発明が解決しようとする課題】
この二つの機能を有する構造体を一体的に組み込んだ場合、重量が増大してコストアップを惹起するとともに、レイアウト的にも大型化するため、乗用車等の低Ｈ・Ｐ（ヒップポイント）車へのサスペンションユニットの設定は困難であった。
【０００４】
また、生体信号を処理して解析するためには、１０Ｈｚ以下のノイズが問題となることから、１０Ｈｚ以下の振動特性を改善する必要があった。
【０００５】
本発明は、従来技術の有するこのような問題点に鑑みてなされたものであり、リフターとサスペンションユニットを一体的に構成し、乗用車等の低Ｈ・Ｐ車にも取り付け可能とし、振動及び衝撃吸収性を向上するとともに１０Ｈｚ以下の振動特性を改善し、カオス解析等を組み込み総合的に安全性、快適性を追及することのできるコンパクトな車両用シートのフレーム構造を提供することを目的としている。
【０００６】
【課題を解決するための手段】
上記目的を達成するために、本発明のうちで請求項１に記載の発明は、車両用シートのフレーム構造であって、車体フロアに上下動自在に取り付けられる枠体と、該枠体の高さを調整するリフターと、枠体に入力される振動を吸収するためのサスペンションユニットとを備え、該サスペンションユニットを前記リフターに一体的に組み込んだことを特徴とする。
【０００７】
また、請求項２に記載の発明は、車体フロアに回動自在に取り付けられるとともに第１のリンク機構を介して前記枠体に連結されたトーションバーと、前記第１のリンク機構に連結された操作手段とをさらに備え、該操作手段を操作することにより前記第１のリンク機構を介して前記枠体の前端部の高さ調整を行うとともに、第２のリンク機構を介して前記枠体の後端部の高さ調整を行うようにしたことを特徴とする。
【０００８】
さらに、請求項３に記載の発明は、前記サスペンションユニットが、固定マグネット及び可動マグネットを有するマグネットユニットを備えたことを特徴とする。
【０００９】
また、請求項４に記載の発明は、前記サスペンションユニットが、磁性流体ダンパーを備えたことを特徴とする。
【００１０】
【発明の実施の形態】
以下、本発明の実施の形態について、図面を参照しながら説明する。
図１乃至図４は、本発明にかかる車両用シートのフレーム構造Ｆを示しており、リフターとサスペンションユニットを一体的に構成したものである。
【００１１】
まず、図５乃至図１１を参照してリフター構造Ｆについて説明する。
リフタ−構造Ｌは、車両の幅方向に離間して設けられた一対のシートスライド装置２に取り付けられている。シートスライド装置２の各々は、車体フロアに取り付けられる下部スライダ４と、下部スライダ４に摺動自在に取り付けられた上部スライダ６とを有し、本発明にかかるリフタ−構造Ｌは上部スライダ６に取り付けられる。
【００１２】
リフター構造Ｌは、上方から見て略矩形の枠体８を有し、枠体８は、左右一対のサイドフレーム１０と、サイドフレーム１０の前端部に両端が接合された前部フレーム１２と、サイドフレーム１０の後端部に両端が接合された後部フレーム１４とで構成されている。なお、図１乃至図４あるいは図５乃至図８は、枠体８が最上端位置にある場合のフレーム構造Ｆあるいはリフター構造Ｌを示しており、図９乃至図１１は、枠体８が最下端位置にある場合のリフター構造Ｌを示している。
【００１３】
上部スライダ６の各々にはＬ字状に折曲されたブラケット１６が接合されており、ブラケット１６にはトーションバー１８の両端が回動自在に取り付けられている。また、ブラケット１６の内側のトーションバー１８には、菱形状の前部リフターリンク２０の長軸方向の一端が固定されており、リフターリンク２０の短軸方向の一端には、前部リフターリンク２０及び後述する後部リフターリンクを連結する連結リンク２２の前端が枢着されている。さらに、リフターリンク２０の短軸方向の他端は、サイドフレーム１０に枢着されている。
【００１４】
また、一方（右側）の前部リフターリンク２０の長軸方向の他端には第１のレバーリンク２４の一端が枢着されており、第１のレバーリンク２４の他端は第２のレバーリンク２６の一端に枢着されている。また、第２のレバーリンク２６の他端は、一方（右側）のサイドフレーム１０に回動自在に取り付けられた連結軸２８の内端に固定され、連結軸２８の外端にはリフターレバー３０の一端が固定されている。
【００１５】
連結リンク２２の後端は、略三角形状の後部リフターリンク３２の一端に枢着されており、後部リフターリンク３２の別の一端はピン３３を介して上部スライダ６に接合されたブラケット３４に枢着されている。後部リフターリンク３２のさらに別の一端はピン３５を介してサイドフレーム１０に枢着されており、ピン３３及びピン３５には、サイドフレーム１０の外側に位置するリンク３７の両端が枢着されている。
【００１６】
また、トーションバー１８の一端（左側端部）には第１のリンク３６の一端が固定され、第１のリンク３６の他端は第２のリンク３８の一端に枢着されている。さらに、第２のリンク３８の他端は第３のリンク４０の一端に枢着されるとともに、第３のリンク４０の他端は回転軸４２の一端に固定されている。回転軸４２のこの一端はさらに、上部スライダ６に接合されたＬ字状のブラケット４４に回動自在に取り付けられており、回転軸４２の他端は、左右一対の上部スライダ６に両端が接合された連結部材４６に螺着されたＬ字状のブラケット４８に回動自在に取り付けられている。
【００１７】
さらに、回転軸４２には左右一対の平行リンク５０の一端が固定されており、平行リンク５０の他端には調整ねじ５２と螺合する調整ナット５４の両端が枢着されている。また、調整ねじ５２の前端には調整ノブ５６が取り付けられており、調整ねじ５２の後端は連結部材４６に回動自在に取り付けられている。
【００１８】
上述した構成のリフター構造Ｌの作用を以下説明する。
リフター構造Ｌに取り付けられたシート（図示せず）に着座した後、体重調整を行う場合、シートの前端部下方に設けられた調整ノブ５６を回転させると、調整ノブ５６と一体的に調整ねじ５２が回転し、調整ねじ５２と螺合する調整ナット５４が車両前後方向に移動する。調整ナット５４が車両前後方向に移動すると、平行リンク５０を介して回転軸４２が回転するので、第３、第２及び第１のリンク４０，３８，３６を介してトーションバー１８が捩れ、捩れ量に応じた枠体８の持ち上げ力が発生して体重調整が行われる。
【００１９】
次に、体重差に応じて変化するリフター構造Ｌの操作力を、体重の軽い人が着座した場合を例にとり説明する。
【００２０】
シートに着座した人の体重が軽い場合、枠体８は図５乃至図８に示される最上端位置に近い位置にあり、トーションバー１８の捩れ量が少ない。したがって、枠体８の持ち上げ力も比較的小さく、最下端位置に向かって押し下げる時の操作力は大きい。
【００２１】
ここで、リフターレバー３０の前端部を所定量押し下げると、連結軸２８が矢印Ａの方向に回転し、第２及び第１のレバーリンク２６，２４を介して右側に位置する前部リフターリンク２０が矢印Ｂの方向に回転する。右側の前部リフターリンク２０の回転は、トーションバー１８を介して左側に位置する前部リフターリンク２０にも伝達され、左右一対の前部リフターリンク２０が同一方向に回転する。
【００２２】
その結果、連結リンク２２の前端が上昇する一方、連結リンク２２の前端と反対側の前部リフターリンク２０の短軸側端部が下降するので、この短軸側端部に連結されたサイドフレーム１０の前端部が所定量下降する。この時、トーションバー１８は、サイドフレーム１０の下降量に応じて枠体８の持ち上げ力を増大させる方向の捩れが加わり、最下端位置に向かって押し下げる時の操作力と最上端位置に向かって押し上げる時の操作力とが均衡化する。
【００２３】
なお、連結リンク２２の前端は上昇するに伴い、後方に移動するので、連結リンク２２の後端も後方に移動し、後部リフターリンク３２は矢印Ｃの方向に回転する。その結果、ピン３５が連結されたサイドフレーム１０の後端も下降し、枠体８が全体として所定量下降して、図５乃至図８に示される最上端位置と図９乃至図１１に示される最下端位置との略中間位置に保持される。
【００２４】
一方、体重の重い人が着座した場合、枠体８は図９乃至図１１に示される最下端位置に近い位置にあり、トーションバー１８の捩れ量は大きい。したがって、枠体８の持ち上げ力も比較的大きく、最上端位置に向かって押し上げる時の操作力は大きい。
【００２５】
この場合、リフターレバー３０の前端部を所定量押し上げると、関連する部材は上述した動作とは逆の動作を行い、枠体８は全体として所定量上昇して最上端位置と最下端位置との略中間位置に保持される。
【００２６】
上述した実施の形態においては、調整ノブ５６を適宜回転して互いに螺合する調整ねじ５２及び調整ナット５４を操作することにより平行リンク５０、回転軸４２等のリンク機構を介してトーションバー１８の一端に捩りを加え、捩り量を調整して体重調整を行っている。また、リフターレバー３０を適宜回転して連結軸２８、複数のレバーリンク２４，２６等のリンク機構を介してトーションバー１８の他端に捩りを加えるとともに、リフタレバー３０の操作力を前部リフターリンク２０、連結リンク２２等のリンク機構を介して枠体８に伝達することにより、トーションバー１８のばね力を変化させると同時に枠体８の高さ調整を行って、シートに着座した人の個人差を吸収している。
【００２７】
なお、上述した実施の形態において、枠体８を取り付けるためのブラケット等をシートスライド装置２の上部スライダ６に取り付けるようにしたが、車体フロアに直接取り付けるようにすることもできる。
【００２８】
次に、上述したリフター構造Ｆに取り付けられるサスペンションユニットＳは、ダンパー及びマグネットユニットにより構成されており、以下このサスペンションユニットＳについて図１乃至図４を参照して説明する。
【００２９】
上述したように、左右一対のサイドフレーム１０は、その前端部及び後端部が前部フレーム１２及び後部フレーム１４によりそれぞれ連結されているが、前部フレーム１２及び後部フレーム１４との間に設けられた第１及び第２中間フレーム６０，６２の両端も一対のサイドフレーム１０の中間部に接合されている。また、第１及び第２中間フレーム６０，６２の中間部は連結部材６４により互いに連結されている。さらに、第１及び第２中間フレーム６０，６２の下方には、両端が上部スライダ６に接合されたサスペンションユニットＳの支持プレート６６が設けられている。
【００３０】
支持プレート６６の後部にはダンパー６８の下端が枢着されており、ダンパー６８の上端はトーションバー１８に枢着されている。また、連結部材６４にはブラケット７０を介して可動マグネット７２の一端が保持されており、可動マグネット７２の他端は第２中間フレーム６２に保持されている。この可動マグネット７２は、互いに対向する一対の固定マグネット７４の間のスペースに上下動自在に取り付けられており、固定マグネット７４は支持プレート６６に保持されている。上述したマグネットユニットは、可動マグネット７２及び固定マグネット７４により構成されており、後述する磁性流体ダンパー８２に設けられた摺動部（可動マグネット）１００及び固定マグネット８６の構成と実質的に同じである。
【００３１】
また、第１中間フレーム６０の略中央にはブラケット７６を介して天突き側クッション部材７８が取り付けられており、各上部スライダ６の後部には底突き側クッション部材８０が取り付けられている。天突き側クッション部材７８あるいは底突き側クッション部材８０としては、例えばラバー等の弾性材が使用される。
【００３２】
上記構成のサスペンションユニットＳにおいて、外部から振動が入力された場合には、上部スライダ６に対し枠体８が上下方向に相対移動するが、上部スライダ６に対する枠体８の離間距離に応じて、マグネットユニット７２，７４の弾性力及びトーションバー１８の弾性力が変化し、振動を吸収する。
【００３３】
さらに、マグネットユニット７２，７４の弾性力及びトーションバー１８の弾性力を超える衝撃力が入力された場合には、ダンパー６８あるいはクッション部材７８，８０が作用し、衝撃力を吸収する。
【００３４】
なお、上述したように、図１乃至図４は枠体８が最上端位置にある場合のフレーム構造Ｆを示しているのに対し、図１２乃至図１５は枠体８が最下端位置にある場合のフレーム構造Ｆを示している。
【００３５】
また、上述したダンパー６８及びマグネットユニット７２，７４に代えて、図１６乃至図１８に示されるように、磁性流体ダンパー８２によりサスペンションユニットを構成することもできる。この磁性流体ダンパー８２は、永久磁石を利用して磁性流体中の磁性粒子の挙動を変化させ、発生する減衰力を可変にすることができる緩衝装置である。
【００３６】
さらに詳述すると、この磁性流体ダンパー８２は、図１９に示されるように、固定部となるケーシング８４と、ケーシング８４に固定されるとともに所定距離離間した一対の固定マグネット８６と、ケーシング８４に対して相対的に摺動自在に取り付けられた可動部８８とを備えている。
【００３７】
ケーシング８４の内部空間には磁性流体が密閉した状態で充填されており、磁性流体は、ベース流体中に界面活性剤を用いて磁性粒子を分散させたものである。磁性粒子は、磁界のないところでは全く自由な方向を向いているが、磁界中では磁気モーメントが配向し、凝集してクラスターを形成あるいは成長させるために、磁界と直交方向の剪断応力が大きくなって、磁性流体の粘度が上昇する。ベース液としては、例えば水、フッ素油、炭化水素油が使用され、磁性粒子としては、例えばフェライト粒子、マグネタイト粒子等が使用される。
【００３８】
また、ケーシング８４に取り付けられる固定マグネット８６には、鉄等の強磁性体からなるヨーク９４が接合され、ヨーク９４の外面における軸方向中間部には軸方向に直交する方向に切り欠かれた所定幅の溝部９４ａが形成されている。この溝部９４ａは漏れ磁界の発生部となり、磁力線密度を高めるために設けられている。
【００３９】
可動部８８は、ヘッド部９６ａを有するピストンロッド９６を介して、ケーシング８４内に挿入されるピストン９８を備えており、ピストン９８は、ピストンロッド９６の周囲に突出するフランジ部９８ａと、ケーシング８４の側壁と平行に延びる外筒部９８ｂとを備えている。また、外筒部９８ｂの内側には内筒部９８ｃが設けられ、内筒部９８ｃの内面における軸方向中間部には軸方向に直交する方向に切り欠かれた所定幅の溝部９８ｄが形成されている。さらに、ピストンロッド９６の先端部には永久磁石からなる摺動部１００が設けられており、摺動部１００を構成する永久磁石は、例えば軸方向に着磁され、固定マグネット８６の内側に配設されている。すなわち、摺動部１００が固定マグネット８６内を軸方向に摺動することで、摺動部１００を構成する可動マグネットと固定マグネットとの間に生じる反発力あるいは吸引力により所定のばね力を生じ、往復動による減衰力を生じさせる。
【００４０】
ピストンロッド９６に設けられたフランジ状に突出するヘッド部９６ａにはコイルスプリング１０２の一端が保持される一方、コイルスプリング１０２の他端はケーシング８４の下端にフランジ状に形成されたばね受け部８４ａによって支持されており、ピストンロッド９６のヘッド部９６ａを離間させる方向に付勢している。このヘッド部９６ａは、第１中間フレーム６０ａと第２中間フレーム６２ａとを連結する連結部材６４ａに保持される一方、ケーシング８４は支持プレート６６ａに保持されている。
【００４１】
また、ケーシング８４の上壁部の内外面には、ラバー等のクッション部材１０４，１０６が設けられており、大きな振動入力等により可動部８８が大きく変位した場合には、ヘッド部９６ａあるいはピストン９８が当接し、底突きあるいは天突きを防止する。
【００４２】
上記構成の磁性流体ダンパー８２において、振動等の入力により、車体が振動すると、可動部８８がケーシング８４に対し相対的に往復移動する。その結果、コイルスプリング１０２のばね特性により振動が軽減されるとともに、摺動部１００及び固定マグネット８６間の反発力や吸引力により所定のばね力が発揮され、往復動による構造減衰により減衰力を生じさせる。
【００４３】
また、コイルスプリング１０２が収縮する方向に動作する場合には、フランジ部９８ａと外筒部９８ｂとにより取り囲まれた室内の磁性流体を圧縮する一方、コイルスプリング１０２が伸長する方向に動作する場合には、フランジ部９８ａと外筒部９８ｂとにより隔てられた反対側の室内の磁性流体を圧縮する。このため、磁性流体は、ヨーク９４とピストン９８の内筒部９８ｃとにより形成される流体流路を介して上記二つの室間を移動しようとし、このオリフィスとして機能する流体流路を磁性流体が通過する際の抵抗によって所定の減衰力を生じさせる。
【００４４】
なお、図２０（ａ）及び（ｂ）に示されるように、磁性流体中に含まれる磁性粒子は、強い漏れ磁界発生部を形成しているヨーク９４の外面に形成された溝部９４ａ付近に凝集して大きなクラスターＣを形成し、このクラスターＣが流体流路を流れる磁性流体にとっては流れの抵抗となるので、ヨーク９４の外面の溝部９４ａと、ピストン９８の内筒部９８ｃの内面に形成された溝部９８ｄとの相対位置により磁性流体が流体流路を通過する際の抵抗が変化する。すなわち、図２０（ａ）の状態では、磁性流体がオリフィスとなる流体流路を流れる際の抵抗が小さく減衰力が小さいのに対し、図２０（ｂ）の状態では、磁性流体が流体流路を通過しにくくなって減衰力が大きくなる。
【００４５】
また、本発明にかかるフレーム構造Ｆには、リフターをロックするためのロック装置Ｍが設けられており、このロック装置Ｍにつき図２１及び図２２を参照して以下説明する。
【００４６】
図２１及び図２２に示されるように、ロック装置Ｍは、トーションバー１８の一端に取り付けられた被ロック部材１１０と、被ロック部材１１０と嵌脱自在のロック部材１１２とを備えている。
【００４７】
ロック部材１１２は、一対のサイドフレーム１０の一方（右側）に揺動自在に取り付けられており、ロック部材１１２の一端（自由端）にはピン１１４が植設されている。また、平行に延びる一対の平板状部材からなる作動部材１１６が被ロック部材１１０に枢着されており、作動部材１１６の一方の平板状部材には長孔１１６ａが穿設され、ロック部材１１２に植設されたピン１１４はこの長孔１１６ａに遊挿されている。さらに、作動部材１１６の他方の平板状部材にはピン取付タブ１１６ｂが一体的に形成されており、このピン取付タブ１１６ｂに植設されたピン１１８はＶ字状に折曲した第１の操作レバー１２０の一端に穿設された長孔１２０ａに遊挿されている。第１の操作レバー１２０の他端は第２の操作レバー１２２の一端に枢着されており、第２の操作レバー１２２の他端には操作ノブ１２４が取り付けられている。
【００４８】
図２１は、枠体８が最下端位置にあり、ロック部材１１２が被ロック部材１１０に嵌合したロック状態を示している。この状態では、被ロック部材１１０を介してトーションバー１８がロック部材１１２によりロックされていることから、前部リフターリンク２０の回転も阻止されており、枠体８はこの状態に保持され、サスペンションユニットＳは機能しない。
【００４９】
この状態で、操作ノブ１２４を図２１（ａ）に示される矢印Ｄの方向に回転させると、第１及び第２の操作レバー１２０，１２２を介して作動部材１１６が前方に向かって揺動する。ここで、作動部材１１６に穿設された長孔１１６ａは、後方に向かって作動部材１１６の揺動中心からの距離が大きくなるように形成されていることから、作動部材１１６の前方への揺動に伴ってロック部材１１２が矢印Ｅの方向に揺動する。その結果、ロック部材１１２の先端（自由端）が上昇し、図２２に示されるように、被ロック部材１１０のロック部材１１２によるロックが解除されるので、サスペンションユニットＳは本来のサスペンションユニットとして機能する。
【００５０】
なお、このフレーム構造Ｆに設けられたサスペンションユニットＳは略１０Ｈｚ以下の低周波信号（ノイズ）を絶縁することが可能で、車両用インテリジェントシートのフレーム構造として使用することができる。
【００５１】
さらに詳述すると、人・物認知覚醒システムにおいては、生体信号のみを確実に収集する必要があるが、着座センサーを取り付け、解析に必要な生体信号（呼吸、心拍、脈波等）を収集する場合に最大の障害となるのが生体信号に混入するノイズである。
【００５２】
生体信号のうち、呼吸数は１５〜２０回／分で、心拍数は５０〜７０回／分が一般的であり、周波数としてはそれぞれ０．２５〜０．３３Ｈｚ、０．８３〜１．１７Ｈｚにそれぞれ相当し、脈波の解析に必要な周波数帯域としては０．５〜１０Ｈｚである。一方、ノイズとしては、車両自体の振動により発せられる振動ノイズやセンサー部から計測装置に接続される配線（ケーブル）の振動による振動ノイズがあり、１０Ｈｚ以上のノイズについてはローパスフィルターで対応することができるので、１０Ｈｚ以下の周波数帯の振動特性を改善することにより、ノイズを分離して生体信号のみを確実に収集することができる。
【００５３】
また、図１６あるいは図１７に破線で示したように、枠体８にアクチュエータ１２６と、アクチュエータ１２６により作動する振動子１２８を取り付けることにより覚醒システムを構築することもできる。すなわち、生体信号のみを確実に収集した上で、生体信号から得られる情報を基に車を運転する人が居眠りをしているかどうかを判別し、居眠り運転の兆候がある場合には、アクチュエータ１２６により振動子１２８を振動させることにより運転者を覚醒させることができる。
【００５４】
さらに、本発明にかかるフレーム構造Ｆは、例えば図１に示されるように、後部フレーム１４と第２中間フレーム６２と左右一対のサイドフレーム１０に取り囲まれたスペースにフレーム構造Ｆを構成する一切の部材が配設されておらず、このスペースが乗員の臀部の下方に位置することから、車両の衝突等により衝撃力が入力された場合には、乗員の臀部がこのスペースに沈み込み、乗員のリバウンドを低減することもできる。
【００５５】
【発明の効果】
本発明は、以上説明したように構成されているので、以下に記載されるような効果を奏する。
請求項１に記載の発明によれば、サスペンションユニットをリフターに一体的に組み込んだので、車両用インテリジェントシートにも使用できるコンパクトなフレーム構造を提供することができる。
【００５６】
また、請求項２に記載の発明によれば、操作手段を操作することにより第１のリンク機構を介して枠体の前端部の高さ調整を行うとともに、第２のリンク機構を介して枠体の後端部の高さ調整を行うようにしたので、サスペンションユニットを組み込んだリフターの構成を簡素にすることができ、コンパクトで乗用車等の低Ｈ・Ｐ車にも取り付け可能なフレーム構造を提供することができる。
【００５７】
さらに、請求項３あるいは４に記載の発明によれば、固定マグネット及び可動マグネットを有するマグネットユニットあるいは磁性流体ダンパーによりサスペンションユニットを構成したので、１０Ｈｚ以下の振動特性を改善することができるとともにカオス解析等を組み込み総合的に安全性、快適性を追及することのできるコンパクトな車両用シートのフレーム構造を提供することができる。
【図面の簡単な説明】
【図１】本発明にかかる車両用シートのフレーム構造を示しており、枠体が最上端位置にある場合の斜視図である。
【図２】図１のフレーム構造の平面図である。
【図３】図１のフレーム構造の側面図である。
【図４】図１のフレーム構造の正面図である。
【図５】図１のフレーム構造に設けられたリフター構造を示しており、枠体が最上端位置にある場合の斜視図である。
【図６】図５のリフター構造の側面図である。
【図７】図５のリフター構造の正面図である。
【図８】図５のリフター構造の平面図である。
【図９】枠体が最下端位置にある場合のリフター構造の斜視図である。
【図１０】図９のリフター構造の側面図である。
【図１１】図９のリフター構造の正面図である。
【図１２】枠体が最下端位置にある場合のリフター構造の斜視図である。
【図１３】図１２のリフター構造の平面図である。
【図１４】図１２のリフター構造の側面図である。
【図１５】図１２のリフター構造の正面図である。
【図１６】本発明にかかる車両用シートのフレーム構造に磁性流体ダンパーで構成されるサスペンションユニットを組み込んだ場合の平面図である。
【図１７】図１６のフレーム構造の側面図である。
【図１８】図１６のフレーム構造の正面図である。
【図１９】磁性流体ダンパーの縦断面図である。
【図２０】磁性流体ダンパーの作動原理を示す断面図であり、（ａ）は磁性流体がオリフィスとなる流体流路を流れる際の抵抗が小さい場合を、（ｂ）は抵抗が大きい場合をそれぞれ示している。
【図２１】リフターロック装置を示しており、（ａ）はリフターがロックされている場合の斜視図であり、（ｂ）は別の斜視図である。
【図２２】リフターロック装置を示しており、（ａ）はリフターロックが解除されている場合の斜視図であり、（ｂ）は別の斜視図である。
【符号の説明】
２　シートスライド装置、　４　下部スライダ、　６　上部スライダ、
８　枠体、　１０　サイドフレーム、　１２　前部フレーム、
１４　後部フレーム、　１８　トーションバー、　２０　前部リフターリンク、
２２　連結リンク、　２４，２６　レバーリンク、　２８　連結軸、
３０　リフターレバー、　３２　後部リフターリンク、　３３，３５　ピン、
３６，３８，４０　リンク、　４２　回転軸、　４６　連結部材、
５０　平行リンク、　５２　調整ねじ、　５４　調整ナット、
５６　調整ノブ、　６０，６０ａ　第１中間フレーム、
６２，６２ａ　第２中間フレーム、　６４，６４ａ　連結部材、
６６，６６ａ　支持プレート、　６８　ダンパー、　７０　ブラケット、
７２　可動マグネット、　７４　固定マグネット、　７６　ブラケット、
７８，８０　クッション部材、　８２　磁性流体ダンパー、
８４　ケーシング、　８４ａ　ばね受け部、　８６　固定マグネット、
８８　可動部、　９０　外筒、　９２　内筒、　９４　ヨーク、
９４ａ　溝部、　９６　ピストンロッド、　９６ａ　ヘッド部、
９８　ピストン、　９８ａ　フランジ部、　９８ｂ　外筒部、
９８ｃ　内筒部、　９８ｄ　溝部、　１００　摺動部、
１０２　コイルスプリング、　１０４，１０６　クッション部材、
１１０　被ロック部材、　１１２　ロック部材、　１１４，１１８　ピン、
１１６　作動部材、　１１６ａ　長孔、　１２０　第１の操作レバー、
１２２　第２の操作レバー、　１２４　操作ノブ、　１２６　アクチュエータ、
１２８　振動子、　Ｆ　フレーム構造、　Ｌ　リフター構造、
Ｍ　ロック装置、　Ｓ　サスペンションユニット。
【図１】
2004074979.tif 000003
【図２】
2004074979.tif 000004
【図３】
2004074979.tif 000005
【図４】
2004074979.tif 000006
【図５】
2004074979.tif 000007
【図６】
2004074979.tif 000008
【図７】
2004074979.tif 000009
【図８】
2004074979.tif 000010
【図９】
2004074979.tif 000011
【図１０】
2004074979.tif 000012
【図１１】
2004074979.tif 000013
【図１２】
2004074979.tif 000014
【図１３】
2004074979.tif 000015
【図１４】
2004074979.tif 000016
【図１５】
2004074979.tif 000017
【図１６】
2004074979.tif 000018
【図１７】
2004074979.tif 000019
【図１８】
2004074979.tif 000020
【図１９】
2004074979.tif 000021
【図２０】
2004074979.tif 000022
【図２１】
2004074979.tif 000023
【図２２】
2004074979.tif 000024